(57)【要約】      （修正有）【課題】日傘として使用可能であると同時に、太陽エネルギーを電気エネルギーに変換することもできるソーラー傘を提供する。【解決手段】傘骨１１、傘布１２、および中棒１３を含む日傘本体と、傘布１２の外表面に設置される光起電部品と、光起電部品に電気接続され、光起電部品により発生される電気エネルギーを受ける制御装置３と、制御装置３に電気接続され、制御装置３の指令に応じて電気エネルギーを貯蔵或いは放出するエネルギー貯蔵装置４とを含む。ソーラー傘は、日射遮蔽の機能と太陽エネルギーを電気に変換する機能を同時に有し、使用者の更なる要求を満たすことができる。【選択図】図２
0003219276.tif 000002
【実用新案登録請求の範囲】
【請求項１】
ソーラー傘であって、
傘骨、傘布、および中棒を含む日傘本体と、
前記傘布の外表面に設置される光起電部品と、
前記光起電部品に電気接続され、光起電部品により発生される電気エネルギーを受ける制御装置と、
前記制御装置に電気接続され、制御装置の指令に応じて電気エネルギーを貯蔵或いは放出するエネルギー貯蔵装置とを含むことを特徴とするソーラー傘。
【請求項２】
前記光起電部品は、積層或いは縫製の方式によって前記傘布の外表面に設置されることを特徴とする請求項１に記載のソーラー傘。
【請求項３】
前記光起電部品は、前記傘骨の長手方向に沿って傘骨の両側に設置される第１の光起電部品を含むことを特徴とする請求項１に記載のソーラー傘。
【請求項４】
前記傘布の中心領域には天紙が設けられており、前記光起電部品はさらに、前記天紙の外表面に設置されている第２の光起電部品を含むことを特徴とする請求項１に記載のソーラー傘。
【請求項５】
前記第２の光起電部品は、前記中棒の周りに設置される環状の光起電部品であることを特徴とする請求項４に記載のソーラー傘。
【請求項６】
前記制御装置は前記中棒に設置されることを特徴とする請求項１に記載のソーラー傘。
【請求項７】
前記傘骨は中空部を有する棒体であり、前記光起電部品と前記制御装置の接続線材は前記傘骨の中空部に設置されることを特徴とする請求項１に記載のソーラー傘。
【請求項８】
前記中棒は中空部を有する棒体であり、前記光起電部品と前記制御装置の接続線材は前記中棒の中空部に設置されることを特徴とする請求項１に記載のソーラー傘。
【請求項９】
さらに給電ソケットを含み、前記給電ソケットは前記中棒に設置され、かつ前記給電ソケットの入力端は前記制御装置と接続されることを特徴とする請求項１に記載のソーラー傘。
【請求項１０】
さらに照明器具を含み、前記照明器具は前記制御装置と接続され、前記照明器具は前記傘骨に沿って設置されることを特徴とする請求項１に記載のソーラー傘。
【請求項１１】
さらに噴霧ファンを含み、前記噴霧ファンは前記制御装置と接続され、前記噴霧ファンは前記傘骨に設置され、前記噴霧ファンの噴霧吹出口は前記傘布の遮蔽領域に向かうことを特徴とする請求項１に記載のソーラー傘。
【請求項１２】
さらにスピーカーを含み、前記スピーカーは前記制御装置と接続され、前記スピーカーは前記日傘本体の中棒に設置されることを特徴とする請求項１に記載のソーラー傘。
【請求項１３】
さらに監視設備を含み、前記監視設備は前記制御装置と接続され、かつ前記監視設備は前記日傘本体の中棒の頂端に設置されることを特徴とする請求項１に記載のソーラー傘。
【考案の詳細な説明】
【技術分野】
【０００１】
本願は、出願番号２０１８２０８００５９１．４、出願日２０１８年５月２５日の中国実用新案出願に基づいて提出しており、該中国実用新案の優先権を請求し、該中国実用新案出願のすべての内容は引用により本出願に組み込まれる。
本考案は、太陽光設備分野に関し、特にソーラー傘に関する。
【背景技術】
【０００２】
傘は、日射を遮蔽するための道具であり、中棒と傘骨によって傘布を支持して、傘布の下方に１つの遮蔽領域ができるようにして、該遮蔽エリアを用いて日光遮蔽の機能を実現する。
【０００３】
しかし、従来技術における日傘は日射遮蔽或いは遮雨の機能のみを備え、その機能が単一であり、使用者の使用要求を満たすことができず、さらなる改良を必要とする。
【考案の概要】
【考案が解決しようとする課題】
【０００４】
本出願の実施例は新規構造のソーラー傘を提供して、日傘として使用可能であると同時に、太陽エネルギーを電気エネルギーに変換することもできるようにする。
【０００５】
該ソーラー傘は、
傘骨、傘布、および中棒を含む日傘本体と、
前記傘布の外表面に設置される光起電部品と、
前記光起電部品に電気接続され、光起電部品により発生される電気エネルギーを受ける制御装置と、
前記制御装置に電気接続され、制御装置の指令に応じて電気エネルギーを貯蔵或いは放出するエネルギー貯蔵装置とを含む。
【０００６】
本願の実施例において、ソーラー傘には光起電部品と、制御装置と、エネルギー貯蔵装置とが設置されており、ここで、光起電部品はソーラー傘の傘布に設置され、ソーラー傘を開く場合、ソーラー傘は日射遮蔽の役割を果すことができると同時に、傘布に設置されている光起電部品は光エネルギーを電気エネルギーに変換し、かつ制御装置によってエネルギー貯蔵装置に貯蔵することが可能であり、ソーラー傘が同時に日射遮蔽の機能と太陽エネルギーを電気に変換する機能を有するようにして、使用者の多機能への要求を満たす。なお、制御装置を設置することによって、ソーラー傘に外部給電の機能を増加し、使用者の電気使用に便利を与える。
【０００７】
前記ソーラー傘において、前記光起電部品は前記傘布の外表面に積層され、或いは前記光起電部品は前記傘布の外表面に縫製されてもよい。
【０００８】
前記ソーラー傘において、前記光起電部品は、前記傘骨の長手方向に沿って傘骨に両側に設置される複数の第１の光起電部品を含んでもよい。前記ソーラー傘において、前記傘布の中心領域に天紙が設けられており、前記光起電部品はさらに、前記天紙の外表面に設置される第２の光起電部品を含んでもよい。
【０００９】
前記ソーラー傘において、前記第２の光起電部品は前記中棒の周りに設置される環状の光起電部品であってもよい。
【００１０】
前記ソーラー傘において、前記制御装置は前記日傘本体の中棒に設置されてもよい。
【００１１】
前記ソーラー傘において、前記光起電部品と前記制御装置の接続線材は前記傘骨に沿って配置され、または、前記傘骨は中空部を有する棒体であり、前記光起電部品と前記制御装置の接続線材は前記傘骨の中空部によって配置されてもよい。前記中棒は中空部を有する棒体であり、前記光起電部品と前記制御装置の接続線材は前記中棒の中空部に設置される。
【００１２】
前記ソーラー傘はさらに、給電ソケットを含み、前記給電ソケットは前記日傘本体の中棒に設置され、かつ前記給電ソケットの入力端は前記制御装置と接続されてもよい。
【００１３】
前記ソーラー傘はさらに、照明器具を含み、前記照明器具は前記制御装置と接続され、前記照明器具は前記傘骨に沿って設置されてもよい。
【００１４】
前記ソーラー傘はさらに、噴霧ファンを含み、前記噴霧ファンは前記制御装置と接続され、前記噴霧ファンは前記傘骨に設置され、前記傘布の遮蔽下に位置し、かつ前記噴霧ファンの噴霧吹出口は前記傘布の遮蔽領域に向かってもよい。
【００１５】
前記ソーラー傘はさらに、スピーカーを含み、前記スピーカーは前記制御装置と接続され、前記スピーカーは前記日傘本体の中棒に設置され、前記傘布の遮蔽下に位置し、かつ前記中棒の頂部の位置に近接してもよい。
【００１６】
前記ソーラー傘はさらに、監視設備を含み、前記監視設備は前記制御装置と接続され、かつ前記監視設備は前記日傘本体の中棒の頂端に設置されてもよい。
【００１７】
エネルギー貯蔵装置は着脱可能な接続の形式に設置されてもよく、１つのエネルギー貯蔵装置が満充電された後、他のエネルギー貯蔵装置に交換して充電を行うことが可能であり、及び日照が不足する場合、光起電部品により変換される電気エネルギーが十分ではなく、この場合、エネルギー貯蔵装置に貯蔵されている電気エネルギーを用いて給電を行うことが可能であり、連続給電が実現される。
【００１８】
上記技術方案により、本願のソーラー傘は少なくとも下記の長所を有する。
【００１９】
本願の実施例において、ソーラー傘には、光起電部品と、制御装置と、エネルギー貯蔵装置とが設置されており、ここで、光起電部品はソーラー傘の傘布に設置され、ソーラー傘を開く場合、ソーラー傘は日射遮蔽の役割を果すことができると同時に、傘布に設置されている光起電部品は光エネルギーを電気エネルギーに変換し、かつ制御装置によってエネルギー貯蔵装置に貯蔵することが可能であり、ソーラー傘が同時に日射遮蔽の機能と太陽エネルギーを電気に変換する機能を有するようにして、使用者の多機能への要求を満たす。なお、制御装置を設置することによって、ソーラー傘に外部給電の機能を増加し、使用者の電気使用に便利を与える。
【００２０】
上記説明は本願の技術方案の概要説明に過ぎず、本願の技術手段をより明確に了解し、明細書の内容に基づいて実施できるようにするために、以下、本願の好ましい実施例と図面に基づいて詳しく説明する。
【図面の簡単な説明】
【００２１】
【図１】本願の実施例により提供されるソーラー傘の構造模式図である。
【図２】本願の実施例により提供されるソーラー傘の構造模式図である。
【考案を実施するための形態】
【００２２】
以下、予定する出願目的を達成するために本願が採取する技術手段及び効果をさらに説明するために、図面及び好ましい実施例に基づき、本願に基づいて提出されるソーラー傘について、具体的実施形態、構造、特徴及びその効果を後述のように詳しく説明する。下記説明において、異なる「１つの実施例」または「実施例」は、必ず同一の実施例を指すことではない。また、１つまたは複数の実施例における特定の特徴、構造または特性は如何なる適切な形式で組み合わせることが可能である。
【００２３】
図１と図２に示すように、本願の実施例により提出されるソーラー傘は、日傘本体１、光起電部品２、制御装置３、及びエネルギー貯蔵装置４を含む。日傘本体１は、傘骨１１、傘布１２、及び中棒１３を含み、前記光起電部品２は前記傘布１２の外表面に設置され、前記制御装置３の第１の接続端は前記光起電部品２と接続され、前記エネルギー貯蔵装置４は前記制御装置３の第２の接続端と接続される。
【００２４】
具体的に、日傘本体１は、例えば、傘骨１１と傘布１２からなり、開くと１つの日射遮蔽、遮雨空間を構成可能であり、かつ折り畳むことによって収納できる傘体構造のような、従来技術における日傘の構造を直接使用することが可能であり、ここで、傘骨１１により折り畳み可能に構造を支持することが可能であり、傘布は傘骨１１の上表面を遮蔽するとともに、傘骨１１の折り畳みに伴って変形することが可能であり、具体的な傘骨１１の構造、及び傘布１２と傘骨１１の接続構造は従来技術を参照すればよく、ここでは説明を省略する。なお、傘骨１１はある程度の強度を有する金属材料で製造することが好ましく、傘布１２は雨防止と風化防止を有する材料で製造することが好ましく、傘骨１１と傘布１２からなる日傘本体１の構造サイズは、具体的な使用需要要求に基づいて設置することが可能である。
【００２５】
光起電部品２は、第１の光起電部品２１と第２の光起電部品２２とを含み、太陽エネルギーを電気エネルギーに変換できる部品であり、例えば、結晶シリコン光起電部品或いはフィルム光起電部品である。光起電部品２の形状は、傘布１２における空間に応じて設置可能であり、例えば、長尺形、矩形、円形或いは傘布と同じ形状であり、光起電部品２は傘布１２の外表面に設置され、すなわち、傘布１２の雨防止と遮光のための表面に設置されており、光起電部品２は一体式であってもよく、複数の単体から構成されてもよく、例えば、体積の小さい複数の太陽電池シートを直並列接続して構成してもよく、光起電部品２は積層の方式或いは縫合の方式を採用して傘布１２に設置されてもよい。光起電部品２の数は複数であり、各光起電部品２はいずれも制御装置３と繋がれている。
【００２６】
制御装置３は、光起電部品から出力される電流の方向を制御するための装置であり、光起電部品２を接続し、光起電部品２により発生される電気エネルギーを、具体的な使用状況に応じて調節及び配分し、例えば、電気機器に電気エネルギーを提供し、或いはエネルギー貯蔵装置４に電気エネルギーを提供する。例えば、光照射が十分で、光起電部品２により発生される電流と電圧が高い場合、制御装置３は光起電部品２により発生される電気エネルギーを直接給電に用いてもよく、電気機器が電気エネルギーを消耗しない場合、電気エネルギーをエネルギー貯蔵装置４に貯蔵し、光照射が不足すると、光起電部品２は電気エネルギーを発生せず、或いは十分な電気エネルギーを発生できない場合、制御装置３はエネルギー貯蔵装置４が外部に電気エネルギーを出力するように指令して、電気機器に給電を行ってもよい。制御装置３は、従来技術における光電変換制御に用いられる装置を鑑みてもよく、インバータ、無停電電源装置（ＵＰＳ）コントローラなどを含んでもよい。インバータによって、光起電部品２により発生される直流電力を交流電力に変換して出力し、無停電電源装置によって連続な給電を実現する。
【００２７】
エネルギー貯蔵装置４は、複数回充放電可能な二次電池、或いは二次電池からなる電池パックであってもよく、ここで、二次電池はニッケル水素電池、ニッケルカドミウム電池、鉛蓄電池、リチウム電池のうちの１種であってもよく、エネルギー貯蔵装置４は制御装置３と一体構造に設置されてもよく、別体の設置であってもよく、エネルギー貯蔵装置４の電気容量は、１日或いは１週間の光電転換状況に応じて設置することが可能であり、設置した容量が大きすぎて浪費が発生することを防止すると同時に、最小容量は１日の太陽エネルギーから電気エネルギーに変換する電力量より小さくてはいけない。
【００２８】
本願の実施例において、ソーラー傘には光起電部品２と、制御装置３と、エネルギー貯蔵装置４とが設置されており、ここで、光起電部品２はソーラー傘の傘布１２に設置され、ソーラー傘を開く場合、ソーラー傘は日射遮蔽の役割を果たすことができると同時に、傘布１２に設置されている光起電部品は光エネルギーを電気エネルギーに変換し、かつ制御装置３によってエネルギー貯蔵装置４に貯蔵することが可能であり、ソーラー傘が同時に日射遮蔽の機能と太陽エネルギーを電気に変換する機能を有するようにして、使用者の多機能への要求を満たす。なお、制御装置３を設置することによって、ソーラー傘に外部給電の機能を増加し、使用者の電気使用に便利を与え、エネルギー貯蔵装置４は着脱可能な接続の形式に設置されてもよく、１つのエネルギー貯蔵装置が満充電された後、他のエネルギー貯蔵装置に交換して充電を行うことが可能であり、及び日照が不足する場合、光起電部品により変換される電気エネルギーが十分ではなく、この場合、エネルギー貯蔵装置４に貯蔵されている電気エネルギーを用いて給電を行うことが可能であり、連続給電を実現する。
【００２９】
図１に示すように、具体的な実施において、光起電部品２は複数の第１の光起電部品２１を含み、ここで、各第１の光起電部品２１は長尺形光起電部品であり、いずれも傘骨の長手方向に沿って設置され、かつ各傘骨の両側にはいずれも対面する第１の光起電部品２１が設置されている。具体的に、長尺形の第１の光起電部品２１は傘骨の両側に設置され、かつ傘骨の長手方向に沿って設置する必要があり、長尺形の第１の光起電部品２１の幅は日傘本体の構造サイズに応じて設置する必要があり、すなわち、長尺形の第１の光起電部品２１の幅は、傘骨と傘布を折り畳む際に大きな変形が発生しないように保持されることが重要である。
【００３０】
本願の技術方案において、ソーラー傘における太陽エネルギーを電気エネルギーに変換するための光起電部品を長尺形に設置し、かつ長尺形の第１の光起電部品２１は傘布の外表面に設置され、かつ傘骨１１の両側に位置して、制御装置３及びエネルギー貯蔵装置４と配合して太陽エネルギーの電気エネルギーへの変換を実現し、及び電気エネルギーの貯蔵を実現する。
【００３１】
本願により提供されるソーラー傘は、第１の光起電部品２１を長尺形に設置し、かつ傘布１２の表面に設置され、傘布１２と一緒に折り畳んで収納可能であり、なお、長尺形の第１の光起電部品２１は傘骨１１の長手方向に沿って設置され、かつ傘骨１１の両側の傘布１２の外表面に位置し、このような設置方式は、日傘本体１を折り畳んで収納する際に、第１の光起電部品２１が傘骨につれて移動するようにし、かつ長尺形の光起電部品と傘布１２の折り畳み方向は平行であるため、傘骨１１の両側に位置する第１の光起電部品２１は傘布１２の折り畳み方向に沿って全体的に移動するが、傘布１２を折り畳む過程において折り畳む現象が発生せず、光起電部品を効果的に保護し、光起電部品が折り畳みによって損害される現象の発生を回避して、光起電部品の使用寿命を延長する。
【００３２】
図１に示すように、具体的な実施において、第１の光起電部品２１は傘布１２の外表面に積層され、または、第１の光起電部品２１は傘布１２の外表面に縫製される。具体的に、積層の接続方式は、第１の光起電部品２１と傘布１２との間にゴム質材料を設置してから、熱圧着、溶融の方式によってゴム質材料と第１の光起電部品２１及び傘布１２を一体に結合する。
【００３３】
図１に示すように、具体的な実施において、本願の実施例により提供されるソーラー傘の光起電部品はさらに、環状の光起電部品である第２の光起電部品２２を含む。本実施例における環状は、円環、楕円環または多角形環であり、環状の第２の光起電部品２２は日傘本体１の頂部の一回りに設置されて、傘布１２の天紙とされており、第２の光起電部品２２は制御装置３と接続される。
【００３４】
具体的に、傘布１２は、複数枚の三角形或いは台形の布を接合してなり、日傘本体１の中棒１３の頂部の位置に位置し、接合が厳密ではない状況がしばしば出現するため、傘布の中棒１３の頂部に近接する箇所に１枚の環状の天紙を設置し、天紙と傘布１２の配合によって完全に隙間のない遮蔽面を実現するため、傘布１２の外表面に設置される光起電部品の面積を増加するために、傘布１２の天紙を光起電部品として設置してもよく、ここで、第２の光起電部品２２は傘布１２の一部であってもよく、積層の方式によって傘布１２の表面に設置されてもよい。
【００３５】
図２に示すように、具体的な実施において、制御装置３は日傘本体１の中棒１３に設置され、かつ傘布１２の遮蔽領域に位置する。
【００３６】
具体的に、制御装置３は雨水に濡れることを回避する必要があるため、制御装置３は傘布１２の遮蔽領域に設置することが好ましく、同時に使用者の制御装置３に対する制御と調整を便利にするために、制御装置３を日傘本体１の中棒１３に設置することが好ましく、その設置高さは使用者の操作習慣に合わせることが好ましく、例えば、中棒１３の底端から１．４〜１．６メートル離れた箇所に設置する。
【００３７】
図２に示すように、具体的な実施において、光起電部品２と制御装置３の接続線材は傘骨１１に沿って配置され、または、傘骨１１は中空の棒体であり、光起電部品２と制御装置３の接続線材は傘骨１１の中空部によって配置される。さらに、中棒１３は中空部を有する棒体であり、光起電部品２と制御装置３の接続線材も中棒１３の中空部に設置される。よって、接続線材を隠して、視覚的にシンプルに見えるようにするだけでなく、線材の外部配置により発生する操作の不便と安全上の危険も避ける。
【００３８】
具体的に、上記の方式によって光起電部品２と制御装置３の接続線材を具体的に配置することにより、接続線材が多過ぎて発生する回路の混乱を回避できると同時に、使用者自身或いは使用者が所持する物体と接続線材が引っ掛かり及び巻き付くことを回避でき、なお、ソーラー傘を開く過程おいて、多過ぎかつ混乱な線材によって、傘骨１１と接続線材とに干渉が発生する状況が発生することがない。
【００３９】
具体的な実施において、本願により提供されるソーラー傘はさらに、給電ソケットを含み、給電ソケットは日傘本体１の中棒１３に設置され、かつ給電ソケットの入力端は制御装置３と接続される。
【００４０】
具体的に、給電ソケットは、常用の二相ソケットであっても三相ソケットであってもよく、或いは電子設備に直接充電可能なUSBソケットであってもよく、なお、使用者の給電ソケットの使用を便利にするために、給電ソケットを設置する位置を地面から一定距離離せることが好ましく、例えば、中棒の底端から０．８〜１．６メートル離れた範囲内に位置する。また、給電ソケットは制御装置３に設置されてもよい。
【００４１】
図２に示すように、具体的な実施において、本願により提供されるソーラー傘はさらに、照明器具６を含み、照明器具６は制御装置３と接続され、照明器具６は傘骨１１に沿って設置され、かつ傘布１２の遮蔽下に位置する。
【００４２】
具体的に、照明器具６の数は具体的な需要に応じて設定し、ここで、節電及び耐用のために、照明器具６はＬＥＤランプであることが好ましく、複数のＬＥＤランプを間隔を開けて傘骨１１に設置しかつ傘布１２の下方に位置させることが好ましく、かつ美観及び照明効果の向上のために、ＬＥＤランプを均一に分布することが好ましい。
【００４３】
図２に示すように、具体的な実施において、本願により提供されるソーラー傘はさらに、噴霧ファン７とスピーカー８を含み、噴霧ファン７とスピーカー８はいずれも制御装置３と接続され、噴霧ファン７は傘骨１１に設置され、傘布１２の遮蔽下に位置し、かつ噴霧ファン７の噴霧吹出口は傘布１２の遮蔽領域に向かっており、スピーカー８は日傘本体の中棒１３に設置され、傘布１２の遮蔽下に位置し、かつ中棒１３の頂部の位置に近接する。
【００４４】
具体的に、噴霧ファン７は、ソーラー傘の下方で涼む使用者にさらなるさわやかな体験を提供することができる。スピーカーはスマートスピーカーであってもよく、無線の方式によって使用者の携帯端末と接続され、携帯端末によって制御されてもよく、無線の方式によってネットワークと接続されて、ネットワークから伝送されてきた音声を再生してもよい。制御装置３は、噴霧ファンとスピーカーのために給電すると同時に、両者の作業を制御するコントローラであってもよく、具体的な制御方式は使用者の好みに応じて設置可能であり、本願において具体的な限定はしない。
【００４５】
図２に示すように、具体的実施において、本願により提供されるソーラー傘はさらに、監視設備９を含み、監視設備９は制御装置３と接続され、かつ監視設備９は日傘本体の中棒１３の最頂端に設置され、傘布の外表面の上に位置する。監視設備はカメラ、マイクロホンなどであってもよい。
【００４６】
具体的に、監視設備９をソーラー傘の頂端に設置すると、ソーラー傘の周辺を監視可能であり、直接制御装置３を通じて給電することが可能であり、使用者の安全監視に対する要求を満たす。
【００４７】
上記は、本願の好ましい実施例に過ぎず、本願に対して如何なる形式の制限をすることではなく、本願の技術的思想に基づいて以上の実施例に対して行われる如何なる簡単な修正、等価変化及び修飾は、いずれも相変わらず本願の技術方案の範囲内に属する。
【図１】
0003219276.tif 000003
【図２】
0003219276.tif 000004